(57)【要約】【課題】警報を発するべき状況を見極めた上で警報を発することが可能なオートアラーム装置を提供すること。【解決手段】セキュリティＥＣＵ３５は、基準ＩＤコードと一致するＩＤコードを取得したとき、対応する電子キー２が利用された旨を認識する。タッチセンサ４１は、ドアアウトサイドハンドルが触れられた旨を検出する。セキュリティＥＣＵ３５は、対応する電子キー２が利用された旨を認識していない状態で、ドアアウトサイドハンドルが操作された旨がタッチセンサ４１により検出されたとき、警報器５０による警報動作を許可する。【選択図】図１
2007115130.tif 000002
【特許請求の範囲】
【請求項１】
基準ＩＤコードと一致するＩＤコードを取得したとき、対応する通信端末が利用された旨を認識する認識手段と、
外部から操作可能な操作部材が操作された旨を検出する検出手段と、
対応する通信端末が利用された旨が認識手段により認識されていない状態で、操作部材が操作された旨が検出手段により検出されたとき、警報器による警報動作を許可する制御手段とを備えていることを特徴とするオートアラーム装置。
【請求項２】
請求項１に記載のオートアラーム装置において、
検出手段は、操作部材が触れられた旨を検出するタッチセンサを含み、
制御手段は、対応する通信端末が利用された旨が認識手段により認識されていない状態で、操作部材が触れられた旨がタッチセンサにより検出されたとき、警報器による警報動作を許可することを特徴とするオートアラーム装置。
【請求項３】
請求項１又は請求項２に記載のオートアラーム装置において、
検出手段は、操作部材が引っ張られた旨を検出する応力センサを含み、
制御手段は、対応する通信端末が利用された旨が認識手段により認識されていない状態で、操作部材が引っ張られた旨が応力センサにより検出されたとき、警報器による警報動作を許可することを特徴とするオートアラーム装置。
【請求項４】
請求項１〜請求項３のいずれか１項に記載のオートアラーム装置において、
検出手段は、操作部材が触れられた旨を検出するタッチセンサと、操作部材が引っ張られた旨を検出する応力センサとを含み、
制御手段は、対応する通信端末が利用された旨が認識手段により認識されていない状態で、操作部材が触れられた旨がタッチセンサにより検出されたとき、第１の態様での警報器による警報動作を許可する一方、対応する通信端末が利用された旨が認識手段により認識されていない状態で、操作部材が引っ張られた旨が応力センサにより検出されたとき、第２の態様での警報器による警報動作を許可することを特徴とするオートアラーム装置。
【請求項５】
外部から操作可能な操作部材が操作された旨を検出する検出手段と、
操作部材が操作された旨が検出手段により検出されたとき、通信端末毎に個別に設定されたＩＤコードを含むＩＤコード信号を通信端末から送信させるためのリクエスト信号を送信する送信手段と、
リクエスト信号に応答して通信端末から送信されてくるＩＤコード信号を受信する受信手段と、
基準ＩＤコードと一致するＩＤコードが含まれているＩＤコード信号が受信手段により受信されたとき、対応する通信端末が利用された旨を認識する認識手段と、
送信手段によりリクエスト信号が送信されてから所定の時間が経過するまでの期間内に、対応する通信端末が利用された旨が認識手段により認識されなかったとき、警報器による警報動作を許可する制御手段とを備えていることを特徴とするオートアラーム装置。
【発明の詳細な説明】
【技術分野】
【０００１】
本発明は、警報を発するべき状況にある場合に警報器から警報が発せられるオートアラーム装置に関する。
【背景技術】
【０００２】
特許文献１や特許文献２には、車両用のオートアラーム装置に関する技術が開示されている。
特許文献１や特許文献２で開示されているオートアラーム装置では、人が車両のドアハンドルに接近してきたことをトリガとして車両側の作動制御装置からリクエスト信号が送信される。ここに、車両のドアハンドルに接近してきた者が対応する通信端末の所持者である場合、リクエスト信号に応答して通信端末からＩＤコード信号が送信される。一方、車両のドアハンドルに接近してきた者が対応する通信端末の所持者でない場合、当然のことながらＩＤコード信号は送信されない。
【０００３】
従って、リクエスト信号を送信したにも拘わらず、リクエスト信号に応答して送信されてくる筈のＩＤコード信号が送信されてこない場合、対応する通信端末を所持していない者が車両のドアハンドルに接近してきたということになる。そこで、特許文献１や特許文献２で開示されているオートアラーム装置では、このような場合、警報を発するべき状況に車両が置かれているものと認識して警報器から警報が発せられるようにしている。
【特許文献１】特開２００４−２１８３７１号公報
【特許文献２】特開平７−１８９５３８号公報
【発明の開示】
【発明が解決しようとする課題】
【０００４】
しかしながら、特許文献１や特許文献２で開示されているオートアラーム装置では、たとえ悪意がなかろうとも、他人が所有する車両のドアハンドルに接近しただけで警報を発するべき状況に車両が置かれているものと認識されて警報器から警報が発せられてしまう虞がある。例えば、他人が所有する車両の近くで立ち話をしているような場合でも警報器から警報が発せられてしまう虞がある。
【０００５】
本発明は、このような問題点に着目してなされたものであって、その目的は、警報を発するべき状況を見極めた上で警報を発することが可能なオートアラーム装置を提供することにある。
【課題を解決するための手段】
【０００６】
上記の目的を達成するために、請求項１に記載の発明は、基準ＩＤコードと一致するＩＤコードを取得したとき、対応する通信端末が利用された旨を認識する認識手段と、外部から操作可能な操作部材が操作された旨を検出する検出手段と、対応する通信端末が利用された旨が認識手段により認識されていない状態で、操作部材が操作された旨が検出手段により検出されたとき、警報器による警報動作を許可する制御手段とを備えていることをその要旨としている。
【０００７】
同構成によると、対応する通信端末が利用されていない状況において、操作部材が操作されたことをトリガとして警報器から警報が発せられる。つまり、操作部材が操作されていないにも拘わらず、早まって警報が発せられる訳ではない。従って、警報を発するべき状況を見極めた上で警報を発することができる。
【０００８】
請求項２に記載の発明は、請求項１に記載のオートアラーム装置において、検出手段は、操作部材が触れられた旨を検出するタッチセンサを含み、制御手段は、対応する通信端末が利用された旨が認識手段により認識されていない状態で、操作部材が触れられた旨がタッチセンサにより検出されたとき、警報器による警報動作を許可することをその要旨としている。
【０００９】
同構成によると、対応する通信端末が利用されていない状況において、操作部材が触れられたことをトリガとして警報器から警報が発せられる。つまり、操作部材が触れられていないにも拘わらず、早まって警報が発せられる訳ではない。従って、警報を発するべき状況を見極めた上で警報を発することができる。
【００１０】
請求項３に記載の発明は、請求項１又は請求項２に記載のオートアラーム装置において、検出手段は、操作部材が引っ張られた旨を検出する応力センサを含み、制御手段は、対応する通信端末が利用された旨が認識手段により認識されていない状態で、操作部材が引っ張られた旨が応力センサにより検出されたとき、警報器による警報動作を許可することをその要旨としている。
【００１１】
同構成によると、対応する通信端末が利用されていない状況において、操作部材が引っ張られたことをトリガとして警報器から警報が発せられる。つまり、操作部材が引っ張られていないにも拘わらず、早まって警報が発せられる訳ではない。従って、警報を発するべき状況を見極めた上で警報を発することができる。
【００１２】
請求項４に記載の発明は、請求項１〜請求項３のいずれか１項に記載のオートアラーム装置において、検出手段は、操作部材が触れられた旨を検出するタッチセンサと、操作部材が引っ張られた旨を検出する応力センサとを含み、制御手段は、対応する通信端末が利用された旨が認識手段により認識されていない状態で、操作部材が触れられた旨がタッチセンサにより検出されたとき、第１の態様での警報器による警報動作を許可する一方、対応する通信端末が利用された旨が認識手段により認識されていない状態で、操作部材が引っ張られた旨が応力センサにより検出されたとき、第２の態様での警報器による警報動作を許可することをその要旨としている。
【００１３】
同構成によると、対応する通信端末が利用されていない状況において、操作部材が触れられたとき、第１の態様で警報器から警報が発せられる。そして、対応する通信端末が利用されていない状況において、操作部材が引っ張られたとき、第２の態様で警報器から警報が発せられる。従って、状況に応じて段階的に警報を発することができる。
【００１４】
請求項５に記載の発明は、外部から操作可能な操作部材が操作された旨を検出する検出手段と、操作部材が操作された旨が検出手段により検出されたとき、通信端末毎に個別に設定されたＩＤコードを含むＩＤコード信号を通信端末から送信させるためのリクエスト信号を送信する送信手段と、リクエスト信号に応答して通信端末から送信されてくるＩＤコード信号を受信する受信手段と、基準ＩＤコードと一致するＩＤコードが含まれているＩＤコード信号が受信手段により受信されたとき、対応する通信端末が利用された旨を認識する認識手段と、送信手段によりリクエスト信号が送信されてから所定の時間が経過するまでの期間内に、対応する通信端末が利用された旨が認識手段により認識されなかったとき、警報器による警報動作を許可する制御手段とを備えていることをその要旨としている。
【００１５】
同構成によると、対応する通信端末を所持していない者が操作部材を操作した場合、ＩＤコード信号は送信されない。つまり、この場合、送信手段によりリクエスト信号が送信されてから所定の時間が経過するまでの期間内に、対応する通信端末が利用された旨が認識手段により認識されないことになり、その結果、警報が発せられる。ここに、操作部材が操作されていないにも拘わらず、早まって警報が発せられる訳ではない。従って、警報を発するべき状況を見極めた上で警報を発することができる。
【発明の効果】
【００１６】
本発明は、以上のように構成されているため、次のような効果を奏する。
本発明によれば、警報を発するべき状況を見極めた上で警報を発することができる。
【発明を実施するための最良の形態】
【００１７】
以下、本発明を具体化した一実施形態を説明する。
図１に示すように、本実施形態の自動車には、電子キーシステム１が適用されている。電子キーシステム１は、電子キー２とドア施解錠制御装置３とを備えている。電子キー２は、自動車の所有者によって所持されるものである。ドア施解錠制御装置３は、自動車側に設けられるものである。電子キーシステム１は、電子キー２とドア施解錠制御装置３との間での双方向通信が可能である。そして、電子キーシステム１は、対応する電子キー２が利用されたときにドア施解錠制御装置３により車載ドアのアンロック（解錠）を許可する。加えて、電子キーシステム１は、対応する電子キー２が利用されたときにドア施解錠制御装置３により車載ドアのロック（施錠）を許可する。
【００１８】
電子キー２は、無線通信による受信機能及び無線通信による送信機能を有している。電子キー２は、受信アンテナ２１、受信回路２２、マイコン２３、送信回路２４、送信アンテナ２５を備えている。受信アンテナ２１は、ドア施解錠制御装置３から送信されてくるリクエスト信号を受信するための媒体である。受信回路２２は、受信アンテナ２１によりリクエスト信号が受信されたとき、リクエスト信号を復調して受信信号を生成する。そして、受信回路２２は、受信信号をマイコン２３に出力する。
【００１９】
マイコン２３は、不揮発性のメモリ２３ａを備えている。メモリ２３ａには、電子キー２毎に個別に設定されたＩＤコード（電子キー２のＩＤコード）が記憶されている。マイコン２３は、受信回路２２から受信信号が入力されたとき、リクエスト信号に応答するために、電子キー２のＩＤコードを含む信号（ＩＤコード信号）を生成する。そして、マイコン２３は、ＩＤコード信号を送信回路２４に出力する。送信回路２４は、マイコン２３から入力されたＩＤコード信号を所定周波数（本実施形態では３００ＭＨｚ）の電波に変調する。送信アンテナ２５は、送信回路２４により変調されたＩＤコード信号を送信するための媒体である。
【００２０】
ドア施解錠制御装置３は、無線通信による送信機能及び無線通信による受信機能を有している。ドア施解錠制御装置３は、送信回路３１、送信アンテナ３２、受信アンテナ３３、受信回路３４、セキュリティ電子制御ユニット（以下、セキュリティＥＣＵと称す）３５を備えている。送信回路３１は、セキュリティＥＣＵ３５から入力されるリクエスト信号を所定周波数（本実施形態では１３４ＫＨｚ）の電波に変調する。送信アンテナ３２は、送信回路３１により変調されたリクエスト信号を送信するための媒体である。
【００２１】
ここで、リクエスト信号は、図２に２点鎖線で示す車外の所定領域Ａ３２の範囲内に送信される。本実施形態においてリクエスト信号は、車外においてドアアウトサイドハンドルから約１ｍ離れた地点まで達するように送信される。その結果、車外の所定領域Ａ３２の範囲内において、電子キー２とドア施解錠制御装置３との間での双方向通信が可能となる。つまり、リクエスト信号は、電子キー２とドア施解錠制御装置３との間での双方向通信を確立するためのトリガ信号である。これにより、リクエスト信号が送信されている車外の所定領域Ａ３２の範囲内に電子キー２が持ち込まれたとき、電子キー２によりリクエスト信号が受信されて同電子キー２からＩＤコード信号が送信されることになる。
【００２２】
受信アンテナ３３は、リクエスト信号に応答して電子キー２から送信されてくるＩＤコード信号を受信するための媒体である。受信回路３４は、受信アンテナ３３によりＩＤコード信号が受信されたとき、ＩＤコード信号を復調して受信信号を生成する。そして、受信回路３４は、受信信号をセキュリティＥＣＵ３５に出力する。
【００２３】
セキュリティＥＣＵ３５は、不揮発性のメモリ３５ａを備えている。メモリ３５ａには、対応する電子キー２のＩＤコードと同一のＩＤコード（基準ＩＤコード）が記憶されている。セキュリティＥＣＵ３５は、対応する電子キー２の所持者による乗車に伴う自動車に対する接近（車外の所定領域Ａ３２に対する進入）を監視するため、車載ドアがロックされている状態において、送信回路３１にリクエスト信号を出力する。つまり、この場合、セキュリティＥＣＵ３５は、第１車外通信制御を実行する。
【００２４】
セキュリティＥＣＵ３５は、第１車外通信制御に基づいて、受信回路３４から受信信号が入力されたとき、受信信号に含まれているＩＤコードと基準ＩＤコードとが一致しているか否かを判断する。つまり、この場合、セキュリティＥＣＵ３５は、ＩＤコード照合を実行する。そして、セキュリティＥＣＵ３５は、ＩＤコード照合により両ＩＤコードが一致したとき、対応する電子キー２が利用された旨を認識する。
【００２５】
セキュリティＥＣＵ３５には、タッチセンサ４１が電気的に接続されている。タッチセンサ４１は、ドアアウトサイドハンドルに設けられている。ドアアウトサイドハンドルは、車載ドアを車外から開ける場合に操作されるものである。タッチセンサ４１は、ドアアウトサイドハンドルが触れられた旨を検出するためのものである。タッチセンサ４１は、ドアアウトサイドハンドルが触れられたとき、ドアアウトサイドハンドルが触れられた旨を示す検出信号をドアアウトサイドハンドルが触れられている期間に亘ってセキュリティＥＣＵ３５に出力する。
【００２６】
セキュリティＥＣＵ３５は、タッチセンサ４１から検出信号が入力されたとき、ドアアウトサイドハンドルが触れられた旨を認識する。そして、セキュリティＥＣＵ３５は、第１車外通信制御に基づいて、対応する電子キー２が利用された旨を認識している状態で、ドアアウトサイドハンドルが触れられた旨を認識したとき、ドアロックモータ４２を駆動して車載ドアをアンロックする。
【００２７】
セキュリティＥＣＵ３５には、ドアロックスイッチ４３が電気的に接続されている。ドアロックスイッチ４３は、ドアアウトサイドハンドルに設けられている。ドアロックスイッチ４３は、車載ドアを車外からロックする場合に操作されるものである。ドアロックスイッチ４３は、車載ドアを車外からロックするための操作が行われた旨を検出するためのものである。ドアロックスイッチ４３は、外部から押圧操作可能なボタンを備えたプッシュスイッチである。ドアロックスイッチ４３は、ボタンが押圧されたとき、ボタンが押圧された旨を示す検出信号をボタンが押圧されている期間に亘ってセキュリティＥＣＵ３５に出力する。
【００２８】
セキュリティＥＣＵ３５は、ドアロックスイッチ４３から検出信号が入力されたとき、車載ドアを車外からロックするための操作が行われた旨を認識する。そして、セキュリティＥＣＵ３５は、対応する電子キー２の所持者による降車に伴う自動車に対する接近（車外の所定領域Ａ３２に対する進入）を監視するため、このように車載ドアを車外からロックするための操作が行われた旨を認識したとき、送信回路３１にリクエスト信号を出力する。つまり、この場合、セキュリティＥＣＵ３５は、第２車外通信制御を実行する。
【００２９】
セキュリティＥＣＵ３５は、第２車外通信制御に基づいて、受信回路３４から受信信号が入力されたとき、受信信号に含まれているＩＤコードと基準ＩＤコードとが一致しているか否かを判断する。つまり、この場合にも、セキュリティＥＣＵ３５は、ＩＤコード照合を実行する。そして、セキュリティＥＣＵ３５は、ＩＤコード照合により両ＩＤコードが一致したとき、対応する電子キー２が利用された旨を認識する。そして、セキュリティＥＣＵ３５は、第２車外通信制御に基づいて、対応する電子キー２が利用された旨を認識したとき、ドアロックモータ４２を駆動して車載ドアをロックする。
【００３０】
次に、本実施形態の特徴点について説明する。
さて、以上の説明から明らかなように、このような電子キーシステム１が適用されている自動車にあっては、対応する電子キー２が利用されている状況と、対応する電子キー２が利用されていない状況とを区別することが可能である。具体的には、基準ＩＤコードと一致するＩＤコードがセキュリティＥＣＵ３５により取得されたとき、セキュリティＥＣＵ３５により、対応する電子キー２が利用された旨が認識される。一方、基準ＩＤコードと一致するＩＤコードがセキュリティＥＣＵ３５により取得されていないとき、セキュリティＥＣＵ３５により、対応する電子キー２が利用された旨が認識されない。
【００３１】
そして、対応する電子キー２が利用されている状況において、ドアアウトサイドハンドルが触れられた場合、対応する電子キー２の所持者が乗車するためにドアアウトサイドハンドルに触れたものとして扱っても何ら差し支えない。従って、このような場合、対応する電子キー２の所持者が車載ドアを開けることができるようにするために、車載ドアがアンロックされる。
【００３２】
一方、対応する電子キー２が利用されていない状況では、車載ドアをアンロックするべきでないことから、車載ドアはロックされたまま維持されている。そして、このような状況において、ドアアウトサイドハンドルが触れられた場合、対応する電子キー２を所持していない者（第三者）がドアアウトサイドハンドルに触れたことになる。そして、このような場合、第三者により自動車が不正に使用される可能性がある。そこで、本実施形態の自動車にあっては、第三者により自動車が不正に使用される可能性のある状況を見極めて、かかる状況になったときに警報を発することとし、これにより第三者による自動車の不正使用を未然に防止することができるように配慮されている。
【００３３】
ここに、ドアアウトサイドハンドルが触れられた旨を検出するものとしてタッチセンサ４１が用いられている。このタッチセンサ４１は、既に説明したようにセキュリティＥＣＵ３５に電気的に接続されていることから、ドアアウトサイドハンドルが触れられた旨をセキュリティＥＣＵ３５により認識することが可能である。
【００３４】
そして、本実施形態においてセキュリティＥＣＵ３５には、このようなタッチセンサ４１に加えて、ドアハンドルセンサ４４が電気的に接続されている。ドアハンドルセンサ４４は、ドアアウトサイドハンドルに設けられている。ドアハンドルセンサ４４は、ドアアウトサイドハンドルが引っ張られた旨を検出するためのものである。ドアハンドルセンサ４４は、ドアアウトサイドハンドルが引っ張られたとき、ドアアウトサイドハンドルが引っ張られた旨を示す検出信号をドアアウトサイドハンドルが引っ張られている期間に亘ってセキュリティＥＣＵ３５に出力する。
【００３５】
セキュリティＥＣＵ３５は、ドアハンドルセンサ４４から検出信号が入力されたとき、ドアアウトサイドハンドルが引っ張られた旨を認識する。
セキュリティＥＣＵ３５には、車載ホーンよりなる警報器５０が電気的に接続されている。そして、セキュリティＥＣＵ３５は、第三者により自動車が不正に使用される可能性のある状況になった場合のように警報を発するべき状況にある場合に警報器５０による警報動作を許可する。つまり、このような場合、セキュリティＥＣＵ３５は、警報器５０に警報指令信号を出力する。警報器５０は、セキュリティＥＣＵ３５から警報指令信号が入力されたとき、鳴動する。言い換えると、警報器５０は、警報を発するべき状況に自動車が置かれているとき、警報を発するべき状況に自動車が置かれている旨を自動車の周辺に亘って音で報知する。
【００３６】
次に、警報を発するべき状況を見極めた上で警報を発するべくセキュリティＥＣＵ３５により実行されるオートアラーム制御について、図３に示すフローチャートを用いて説明する。
【００３７】
さて、セキュリティＥＣＵ３５は、対応する電子キー２が利用された旨を認識していない状態で（ステップＳ１においてＮＯ）、ドアアウトサイドハンドルが触れられた旨を認識したとき（ステップＳ２においてＹＥＳ）、第１の態様での警報器５０による警報動作を許可する（ステップＳ３）。つまり、この場合、警報器５０から小音量の音が短時間に亘って鳴る。
【００３８】
そして、セキュリティＥＣＵ３５は、対応する電子キー２が利用された旨を認識していない状態で（ステップＳ１においてＮＯ）、ドアアウトサイドハンドルが引っ張られた旨を認識したとき（ステップＳ４においてＹＥＳ）、第２の態様での警報器５０による警報動作を許可する（ステップＳ５）。つまり、この場合、警報器５０から大音量の音が長時間に亘って鳴る。
【００３９】
尚、本実施形態においてセキュリティＥＣＵ３５は、基準ＩＤコードと一致するＩＤコードを取得したとき、対応する通信端末（電子キー２）が利用された旨を認識する認識手段に相当する。そして、ドアアウトサイドハンドルは、外部から操作可能な操作部材に相当する。そして、タッチセンサ４１及びドアハンドルセンサ４４の各々は、操作部材（ドアアウトサイドハンドル）が操作された旨を検出する検出手段に相当する。
【００４０】
特に、タッチセンサ４１は、操作部材（ドアアウトサイドハンドル）が触れられた旨を検出するタッチセンサに相当する。一方、ドアハンドルセンサ４４は、操作部材（ドアアウトサイドハンドル）が引っ張られた旨を検出する応力センサに相当する。そして、セキュリティＥＣＵ３５は、対応する通信端末（電子キー２）が利用された旨を認識していない状態で、操作部材（ドアアウトサイドハンドル）が操作された旨が検出手段（タッチセンサ４１、ドアハンドルセンサ４４）により検出されたとき、警報器５０による警報動作を許可する制御手段に相当する。
【００４１】
従って、本実施形態では、セキュリティＥＣＵ３５、タッチセンサ４１、ドアハンドルセンサ４４、警報器５０によりオートアラーム装置が構成されている。
以上、詳述したように本実施形態によれば、次のような作用、効果を得ることができる。
【００４２】
（１）対応する電子キー２が利用されていない状況において、ドアアウトサイドハンドルが操作されたことをトリガとして警報器５０から警報が発せられる。つまり、ドアアウトサイドハンドルが操作されていないにも拘わらず、早まって警報が発せられる訳ではない。従って、警報を発するべき状況を見極めた上で警報を発することができる。
【００４３】
（２）対応する電子キー２が利用されていない状況において、ドアアウトサイドハンドルが触れられたことをトリガとして警報器５０から警報が発せられる。つまり、ドアアウトサイドハンドルが触れられていないにも拘わらず、早まって警報が発せられる訳ではない。従って、警報を発するべき状況を見極めた上で警報を発することができる。
【００４４】
（３）対応する電子キー２が利用されていない状況において、ドアアウトサイドハンドルが引っ張られたことをトリガとして警報器５０から警報が発せられる。つまり、ドアアウトサイドハンドルが引っ張られていないにも拘わらず、早まって警報が発せられる訳ではない。従って、警報を発するべき状況を見極めた上で警報を発することができる。
【００４５】
（４）対応する電子キー２が利用されていない状況において、ドアアウトサイドハンドルが触れられたとき、第１の態様で警報器５０から警報が発せられる。そして、対応する電子キー２が利用されていない状況において、ドアアウトサイドハンドルが引っ張られたとき、第２の態様で警報器５０から警報が発せられる。従って、状況に応じて段階的に警報を発することができる。
【００４６】
（５）対応する電子キー２を所持していない者（第三者）が車内に乗り込む前の段階で警報が発せられる。従って、第三者による自動車の不正使用を未然に防止することができる。
【００４７】
（６）車載ドアが不正に開けられたことや車載ウィンドウガラスが割られたこと等をトリガとして警報器５０から警報が発せられる構成とは異なり、それらの行為が行われる可能性のあることを予測して、それらの行為が行われる可能性のあることが分かった段階で事前に警報が発せられる。そして、これにより、自動車を不正に使用しようとする第三者の心理を抑止することができる。要するに、事前のセキュリティレベルを向上できる。
【００４８】
（７）本実施形態の構成とは異なり、第三者が自動車に接近してきたことをトリガとして警報が発せられる別の構成を採用すれば、より早い段階で警報が発せられることとなり都合が良いようにも思える。しかし、かかる構成を採用したとき、第三者が自動車に接近してきた場合に、ドアアウトサイドハンドルに触れてもいないのに警報が発せられてしまう不都合が生じる。これに対して、本実施形態の構成によると、第三者がドアアウトサイドハンドルに触れた状況、つまり悪意が認められる状況となったことをトリガとして警報が発せられる。要するに、本実施形態によれば、早まって警報が発せられる構成とは異なり、警報を発するべき状況を見極めた適切な段階で警報を発することができる。
【００４９】
（８）上記（７）に記載の別の構成を採用したとき、警報が発せられる度に、当然のこととして車載バッテリが消費されることから、バッテリ上がりが生じ易い。これに対して、本実施形態の構成によれば、警報を発するべき状況を見極めた上で警報が発せられることから、無用に警報が発せられることはない。従って、警報器５０による警報動作の回数が抑制されることから、警報動作に伴うバッテリ上がりを回避することができる。
【００５０】
（９）第三者でなくても、本来電子キー２を所持しているべき者であって、電子キー２を所持するのを忘れた者（真のユーザ）が、乗車しようとドアアウトサイドハンドルに触れたとき、第１の態様で警報が発せられる。従って、これにより、真のユーザに対して電子キー２を所持するのを忘れたまま乗車しようとしていることを気付かせることができる。
【００５１】
（１０）第１の態様で警報が発せられたにも拘わらず、ドアアウトサイドハンドルが引っ張られたとき、明らかな悪意がうかがえる。従って、このような場合に第２の態様で警報を発することによって、第１の態様での警報動作により第三者に与えた抑止力よりも大きな抑止力を与えることができる。要するに、事前のセキュリティレベルを一層向上できる。
【００５２】
（１１）警報を発するべき状況に自動車が置かれているとき、警報を発するべき状況に自動車が置かれている旨が自動車の周辺に亘って音で報知される。従って、屋内に居ながらにして屋外に駐車されている自動車を監視することができる。
【００５３】
尚、前記実施形態は、次のように変更して具体化することも可能である。
・対応する電子キー２が利用されていない状況において、ドアアウトサイドハンドルが触れられたときと、対応する電子キー２が利用されていない状況において、ドアアウトサイドハンドルが引っ張られたときとで、互いに同じ態様で警報が発せられる構成を採用してもよい。
【００５４】
・ドアハンドルセンサ４４を割愛してもよい。この場合、対応する電子キー２が利用されていない状況において、ドアアウトサイドハンドルが触れられたときには警報が発せられるが、対応する電子キー２が利用されていない状況において、ドアアウトサイドハンドルが引っ張られたときには警報が発せられない。
【００５５】
・対応する電子キー２が利用されていない状況において、ドアアウトサイドハンドルが触れられたときには警報が発せられず、対応する電子キー２が利用されていない状況において、ドアアウトサイドハンドルが引っ張られたときに初めて警報が発せられる構成を採用してもよい。
【００５６】
・音による報知（聴覚的な報知）に代えて又は加えて、光による報知（視覚的な報知）にて警報動作を行う構成を採用してもよい。例えば、警報を発するべき状況に自動車が置かれているとき、ハザードランプやルームランプ等の照明手段を点灯又は点滅させることで警報を発する構成を採用してもよい。この構成によると、警報を発するべき状況に自動車が置かれている旨を特に夜間において広範囲に亘って報知することができる。
【００５７】
・対応する電子キー２が利用されていない状況において、トランクオープンスイッチが操作されたことをトリガとして警報器５０から警報が発せられる構成を採用してもよい。尚、トランクオープンスイッチとは、車載トランクに設けられたスイッチであり、対応する電子キー２を所持して該トランクオープンスイッチを操作することで車載トランクを開ける場合に操作されるものである。
【００５８】
・車載ドアがロックされていることを前提として、対応する電子キー２が利用されていない状況において、ドアロックスイッチ４３が操作されたことをトリガとして警報器５０から警報が発せられる構成を採用してもよい。
【００５９】
・ドアアウトサイドハンドルが触れられたことをトリガとしてドア施解錠制御装置３からリクエスト信号が送信される構成に本発明を具体化してもよい。この場合、前記実施形態の構成を援用すると、タッチセンサ４１は、外部から操作可能な操作部材（ドアアウトサイドハンドル）が操作された旨を検出する検出手段に相当する。そして、送信回路３１と送信アンテナ３２とにより、操作部材（ドアアウトサイドハンドル）が操作された旨が検出手段（タッチセンサ４１）により検出されたとき、通信端末（電子キー２）毎に個別に設定されたＩＤコードを含むＩＤコード信号を通信端末（電子キー２）から送信させるためのリクエスト信号を送信する送信手段が構成される。そして、受信アンテナ３３と受信回路３４とにより、リクエスト信号に応答して通信端末（電子キー２）から送信されてくるＩＤコード信号を受信する受信手段が構成される。
【００６０】
そして、セキュリティＥＣＵ３５は、基準ＩＤコードと一致するＩＤコードが含まれているＩＤコード信号が受信手段（受信アンテナ３３、受信回路３４）により受信されたとき、対応する通信端末（電子キー２）が利用された旨を認識する認識手段に相当する。そして、セキュリティＥＣＵ３５は、送信手段（送信回路３１、送信アンテナ３２）によりリクエスト信号が送信されてから所定の時間が経過するまでの期間内に、対応する通信端末（電子キー２）が利用された旨を認識できなかったとき、警報器５０による警報動作を許可する制御手段に相当する。
【００６１】
従って、この構成では、ドア施解錠制御装置３、タッチセンサ４１、警報器５０によりオートアラーム装置が構成される。
この構成によると、対応する通信端末（電子キー２）を所持していない者が操作部材（ドアアウトサイドハンドル）を操作した場合、ＩＤコード信号は送信されない。つまり、この場合、送信手段（送信回路３１、送信アンテナ３２）によりリクエスト信号が送信されてから所定の時間が経過するまでの期間内に、対応する通信端末（電子キー２）が利用された旨が認識手段（セキュリティＥＣＵ３５）により認識されないことになり、その結果、警報が発せられる。ここに、操作部材（ドアアウトサイドハンドル）が操作されていないにも拘わらず、早まって警報が発せられる訳ではない。従って、警報を発するべき状況を見極めた上で警報を発することができる。
【００６２】
・本発明は、車両用（例えば自動車用）のオートアラーム装置に限定されない。つまり、本発明は、建物用（例えば住宅用）のオートアラーム装置に具体化されてもよい。この場合、本発明は、対応する通信端末（電子キー）が利用されたときに作動制御装置（ドア施解錠制御装置）により制御対象（玄関ドア）の作動（アンロック）を許可する電子キーシステムが適用されている建物（住宅）に応用されてもよい。そして、この場合、対応する通信端末（電子キー）が利用されていない状況において、玄関ドアを屋外から開ける場合に操作される屋外ドアノブが操作されたことをトリガとして警報が発せられるようにすればよい。
【図面の簡単な説明】
【００６３】
【図１】電子キーシステムが適用されている本実施形態の自動車の構成を示すブロック図。
【図２】車外の所定領域を示す説明図。
【図３】セキュリティＥＣＵにより実行されるオートアラーム制御を説明するためのフローチャート。
【符号の説明】
【００６４】
２…電子キー（通信端末）、３１…送信回路（送信手段）、３２…送信アンテナ（送信手段）、３３…受信アンテナ（受信手段）、３４…受信回路（受信手段）、３５…セキュリティＥＣＵ（認識手段、制御手段）、４１…タッチセンサ（検出手段）、４４…ドアハンドルセンサ（検出手段、応力センサ）、５０…警報器。
【図１】
2007115130.tif 000003
【図２】
2007115130.tif 000004
【図３】
2007115130.tif 000005